(57)【特許請求の範囲】
【請求項１】
上端が開口して下部に水抜き孔を形成した筒状容器体の開口上端部に、平面視で四辺形で外縁から中央に向かって緩く下り傾斜する浅い皿枠状の受皿部を設け、前記受皿部の外縁には、雄部を有する第１の連結片と、前記雄部が嵌入することができる雌部を有する第２の連結片とを設け、前記四辺形の受皿部の隣り合う２辺が第１の連結片で、隣り合う他の２辺が第２の連結片である植物の株育成装置。
【請求項２】
第１の連結片は、第２の連結片に対し、第２の連結片の肉厚分だけ下側に位置している請求項１に記載の植物の株育成装置。
【請求項３】
隣り合う第１の連結片の間の隅部、及び隣り合う第２の連結片の間の隅部に、夫々第１の予備連結片、第２の予備連結片を設けた請求項２に記載の植物の株育成装置。
【発明の詳細な説明】
【０００１】
【産業上の利用分野】
本発明は、例えば苺の株を成育させるために使用する植物の株育成装置に関するものである。
【０００２】
【従来の技術】
周知の様に、苺を栽培するには、３月中旬頃にビニールハウス内若しくは屋外に高さ３０〜５０センチメートル、幅が２〜３メートル程度で、上面が平坦状の長尺な畝を立て、その上面に苗取り専用の親株を３０〜５０センチメートル程度の間隔で植えつける。この親株は、５月下旬頃から蔓が伸び、蔓の途中に小さな葉と根からなる子株が多数出来るので、この子株を畝の土壌表面に接触させて成育させる。そして、子株がある程度成育したら、子株間の蔓を切断するとともに子株の根を掘り起こし、予め準備した仮植え床の畝に縦横２０センチメートル程度の間隔で仮植えし、子株が充分に成育して苗となる９月下旬頃に、苗を仮植え床から抜き取ってビニールハウスの畝の本田に植え付け、実らせる。
【０００３】
【発明が解決しようとする課題】
従来では、苗取り用の親株から出る子株を前記の方法で育苗しているので、仮植え床の場所を確保しなければならないし、しかも蔓を切断して子株を掘り起こし、子株を仮植えする手間等、多大な労力を要することになる。また、土壌中には無数の雑菌、微生物が繁殖しているので、雑菌等が子株に侵入して腐敗させたり枯らすことにもなる。
したがって、きわめて簡単に、しかも小面積で無数の子株を管理、育苗することができ、しかも子株が安定して成育することができる株の育成装置が要望されている。
【０００４】
【課題を解決するための手段】
本発明は前記した従来からの欠点を解消し、また従来からの要望に対応するために提案されたもので、上端が開口して下部に水抜き孔を形成した筒状容器体の開口上端部に、平面視で四辺形で外縁から中央に向かって緩く下り傾斜する浅い皿枠状の受皿部を設け、前記受皿部の外縁には、雄部を有する第１の連結片と、前記雄部が嵌入することができる雌部を有する第２の連結片とを設け、前記四辺形の受皿部の隣り合う２辺が第１の連結片で、隣り合う他の２辺が第２の連結片である植物の株育成装置であって、第１の連結片は、第２の連結片に対し、第２の連結片の肉厚分だけ下側に位置し、また、隣り合う第１の連結片の間の隅部、及び隣り合う第２の連結片の間の隅部に、夫々第１の予備連結片、第２の予備連結片を設けた構成である。
【０００５】
【作用】
親株の蔓が伸びて子株が形成されると、土壌や培土を充填した筒状容器体を子株の下側にあてがって子株を土壌等に接触させ、子株がある程度成育すると、蔓を切断するとともに子株を上面に植え付けた容器体を連結して並列させ、自立させて育苗、管理するのである。
【０００６】
【実施例】
以下に本発明を図面の実施例に基づいて詳細に説明する。
【０００７】
図１から図４は本発明の株育成装置１の実施例を示すもので、前記株育成装置１は、筒状容器体２と、前記筒状容器体２の上端に一体に設けられた受皿部３とを有する。
【０００８】
前記容器体２は上端が開口し、上端から下方に向って次第に縮径する緩傾斜状円筒体で、下方には底面に向かう急傾斜状筒部２１が設けられている。
【０００９】
そして、前記容器体２の底面部には、第１の水抜き孔２２が開設され、また側面部の下端には縦長なスリット状の第２の水抜き孔２３が周方向に並列するように複数開設されている。
【００１０】
前記した受皿部３は、外縁から中央に向って緩く下り傾斜する浅い皿枠状で、傾斜下端の中央部に通孔が形成されて、前記通孔の内周縁が前記容器体２の上端開口部の外周縁と一体になっている。したがって、容器体２の上端からは受皿部３が、緩く斜め上方に向って延在する状態に設けられ、容器体２の受皿部３は合成樹脂で一体に成型するのである。
【００１１】
前記受皿部３は、平面視で四辺形状で、図面の実施例では正方形であるが、長方形、若しくはその他の四辺形状でもよい。そして、受皿部３の外縁には、雄部３１を有する第１の連結片３２と、前記雄部３１が嵌入することができる雌部３３を有する第２の連結片３４とを有し、四辺形の四つの外縁のうち、隣り合う２辺に第１の連結片３２が、他の隣り合う２辺に第２の連結片３４が設けられている。また、前記第１の連結片３２は、前記第２の連結片３４に対し、第２の連結片３４の肉厚分だけ下側に位置している。
【００１２】
図面の実施例では、各第１の連結片３２の雄部３１は高さが低い円柱状の突起部で左右に２個突設してあり、各第２の連結片３４の雌部３３は前記雄部３１が下から嵌入することができる左右２個の小孔である。
【００１３】
また、隣り合う第１の連結片３２の間の隅部には、第１の連結片３２の肉厚分だけ低くなっている第１の予備連結片３５を設けるとともに、隣り合う第２の連結片３４の間の隅部には、第２の連結片３４の肉厚分だけ低くなっている第２の予備連結片３６を設け、各第１の予備連結片３５、第２の予備連結片３６には仮連結用小孔３７を開設する。
【００１４】
そして、図面の実施例によれば、受皿部３の傾斜下端部であって、容器体２の上端開口部の径方向に対向する位置に、保持材の支持孔３８，３８を開設し、容器体２の上端開口部を径方向に横切るようにして、金属線、細い棒材等からなる保持材４１を、弾力性により円弧状にして橋渡すことができる。
【００１５】
本発明の株育成装置１は前記した構成であって、多数の容器体２を、第１の連結片３２と第２の連結片３４とが同一位置になる様に配置して直立させ、隣り合う一方の容器体２の第１の連結片３２を下側に、他方の容器体２の第２の連結片３４を上側にし、雄部３１を雌部３３に下から嵌入することにより、前後左右に何個でも列状に、面状に連結することができる。そして、前記株育成装置１の連結状態は、第１の連結片３２が第２の連結片３４より肉厚分だけ低いので、列状の株育成装置１はすべて同一高さになる。
【００１６】
また、育成装置１の前記した連結状態では、第１の連結片３２の隅部に設けてある第１の予備連結片３５と、斜めに隣り合う育成装置１の第２の連結片３４の隅部に設けてある第２の予備連結片３６とが上下に重なって各仮連結用小孔３７が一致するので、一致する上下の仮連結用小孔３７に、例えば細い棒材を上から挿通すると、斜めに隣り合う株育成装置１同志を強固に連結固定することができる。
【００１７】
本発明の株育成装置１を例えば苺の苗用の育成装置として使用するには、親株から蔓が地表面に沿って伸び、子株が発生したら、容器体２の内部に土壌や培土を充填した株育成装置１の下方一部を畝の土壌に埋設して直立させ、蔓の子株を株育成装置１の土壌の上面に接触させる。したがって、株育成装置１は、多数本の蔓の各子株毎に設けるのである。
この状態において、図４で示すように、株育成装置１の土壌の上面に蔓を接触させた状態で、支持孔３８，３８間に円弧状に保持材４１を橋渡して蔓を保持すると、風雨等の自然状況によって蔓や子株が株育成装置１の上面から外れたり離れることがなく、子株は確実に株育成装置１の内部の土壌表面に接触して育成することができる。
【００１８】
各蔓の子株を前記のように各株育成装置１の土壌や培土に接触させ、この子株の根がある程度土壌中に這って葉もある程度育成したら、蔓を切断して子株を植え付けた各株育成装置１を畝の土壌から引き抜き、前記の様に隣り合う株育成装置１の第１の連結片３２と第２の連結片３４とにより容器体２を前後左右に連結するとともに、第１の予備連結片３５と第２の予備連結片３６とを上下に重合して棒材等を小孔３７に挿通して止着し、列状、面状に連結する。
【００１９】
この状態では、各株育成装置１の容器体２が脚になるので、地表面に安定することになり、また各株育成装置１の子株は容器体２の内部の土壌に植え付けられているので、充分に成育することができる。
【００２０】
また、各株育成装置１の内部の子株の育苗管理において、水、消毒液、肥料等を上から散布すると、株育成装置１の受皿部３が水等を受け止めて傾斜により容器体２の土壌に導くので、子株の育成に水等を有効に利用することができる。しかも、育成装置１の下面がビニール床等で閉塞されても、上から散布される水等が第２の水抜き孔２３から抜けるので、子株の根が腐食することがない。
【００２１】
子株が充分に育成して定植可能な状態な苗になったら、株育成装置１から土壌ごと引き抜き、ビニールハウスに形成されている畝に形成した縦穴に上から挿入して移植し、苗を成長させる。前記縦穴は、容器体２の寸法と略同一の寸法で、畝に３０センチメートル程度の間隔で形成してあるので、株育成装置１から抜いた根を土壌や培土とともに縦穴に挿入し、わずかに目土を詰めるだけで成育した苗を畝に沿って並列状に移植することができる。そして、畝に縦穴を形成するには、空の容器体２を畝の表面にあてがって内部に押し込み、引き抜くだけでよいから極めて簡単で、しかも、育成装置１から抜き取った形状そのものの縦穴を形成することができる。
【００２２】
前記した畝の株を、育苗管理しながら成育すると、開花して実が成り、実を摘み取ることができる。
【００２３】
図９は本発明の他の実施例で、雄部３１に縦方向の割り溝部３１’を形成して２分割すると、雄部３１に弾性が作用するので雌部３３に下から嵌入しやすく、しかも雌部３３の径を雄部３１と外径とほとんど同一にすると、雌部３３と雄部３１との嵌入が強固になるし、育成装置１を多数連結した状態で搬送したり植え付け作業することができる。
以上本発明を図面の実施例に基づいて説明したが、本発明は前記実施例に限定されず、特許請求の範囲に記載の構成であればどのようにでも実施することができる。
【００２４】
【発明の効果】
以上要するに、本発明は、上端が開口して下部に水抜き孔を形成した筒状容器体の開口上端部に、平面視で四辺形で外縁から中央に向かって緩く下り傾斜する浅い皿枠状の受皿部を設け、前記受皿部の外縁には、雄部を有する第１の連結片と、前記雄部が嵌入することができる雌部を有する第２の連結片とを設け、前記四辺形の受皿部の隣り合う２辺が第１の連結片で、隣り合う他の２辺が第２の連結片である構成である。
【００２５】
したがって、子株を育苗管理しながら成育させる場合、各子株を植え付けた筒状容器体を連結させるので、従来より小面積の場所に無数の子株を育成することができる。しかも、育苗管理する過程で、子株が土壌から離れないし、肥料や水を有効に子株に導くことができ、また育成した苗を畝に移植する場合も、畝に形成した縦穴に苗を土壌ごと挿入するだけであるからきわめて簡単で作業効率も著しく良好となる。更に、子株が発育する根は縦方向の筒状容器体の内部であるから直線状となり、植え傷みがないばかりでなく短時間で植え替えることができ、実用的価値の高いものとなる。
【図面の簡単な説明】
【図１】本発明の実施例を示す正面図である。
【図２】本発明の実施例を示す平面図である。
【図３】図２のＡ〜Ａ線断面図である。
【図４】内部に土壌を入れた場合の図２のＢ〜Ｂ線の一部の断面図である。
【図５】複数の株育成装置を分解した斜視図である。
【図６】複数の株育成装置を連結した状態の正面図である。
【図７】複数の株育成装置を連結した状態の平面図である。
【図８】畝に株育成装置を一部埋め込んだ状態の斜視図である。
【図９】本発明の他の実施例を示す一部拡大斜視図である。
【符号の説明】
１  株育成装置１
２  容器体２
３  受皿部３
２１  急傾斜状筒部
２２  第１の水抜き孔
２３  第２の水抜き孔
３１  雄部
３２  第１の連結片
３３  雌部
３４  第２の連結片
３５  第１の予備連結片
３６  第２の予備連結片
３７  仮連結用小孔
３８  支持孔
【図１】
0003639343.tif 000002
【図２】
0003639343.tif 000003
【図３】
0003639343.tif 000004
【図４】
0003639343.tif 000005
【図５】
0003639343.tif 000006
【図６】
0003639343.tif 000007
【図７】
0003639343.tif 000008
【図８】
0003639343.tif 000009
【図９】
0003639343.tif 000010